(57)【要約】      （修正有）【課題】  シャッタプレートを前記紙幣搬送路の幅方向に沿って複数個独立して各々傾斜状に配設することによって各シャッタプレートが独立して開閉するために紙幣搬送路が全長に亘って開放状態となるようなことがなく不正行為を増長させる恐れがない紙幣処理装置を提供する。【解決手段】    挿入紙幣を装置本体内へ案内する紙幣搬送路４０と、当該紙幣搬送路を開閉するシャッタ機構５０とを備えた紙幣処理装置１００において、前記シャッタ機構は、複数の突起を形成したシャッタプレート５３と、前記シャッタプレートに設けられた弾性部材と、当該シャッタプレートの突起に対応する複数の孔部によりなり、前記シャッタプレートを前記紙幣搬送路の幅方向に沿って複数個独立して各々傾斜状に配設したものである。【選択図】  図１
2007035005.tif 000002
【特許請求の範囲】
【請求項１】
投入紙幣を装置本体内へ案内する紙幣搬送路と、当該紙幣搬送路を開閉するシャッタ機構とを備えた紙幣処理装置において、
前記シャッタ機構は、複数の突起を形成したシャッタプレートと、前記シャッタプレートに設けられた弾性部材と、当該シャッタプレートの突起に対応する複数の孔部よりなり、
前記シャッタプレートを前記紙幣搬送路の幅方向に沿って複数個独立して各々傾斜状に配設した
ことを特徴とする紙幣処理装置。
【請求項２】
前記弾性部材をシャッタプレートの下面から突出するように、前記突起内部に配設した
ことを特徴とする請求項１項記載の紙幣処理装置。
【請求項３】
前記弾性部材を前記シャッタプレートの下面に一体に形成した
ことを特徴とする請求項１項記載の紙幣処理装置。
【請求項４】
前記シャッタプレートを支持する支持プレートにシャッタプレートの嵌合凹部を形成した
ことを特徴とする請求項１項乃至３項のいずれかに記載の紙幣処理装置。
【発明の詳細な説明】
【技術分野】
【０００１】  本発明は、自動販売機、両替機、パチンコ玉貸機、メダル貸機等に使用される紙幣処理装置、特に紙幣の挿入通路を開閉するシャッタ機構を備えた紙幣処理装置に関する。
【背景技術】
【０００２】  一般に紙幣を取り扱う自動販売機、両替機、パチンコ玉貸機、メダル貸機等の機器本体内には、投入された紙幣の正偽を判別するとともに、正貨と見なされた紙幣のみを蓄積収容するようにした紙幣処理装置が装着されている。【０００３】  この紙幣処理装置は大別すると、紙幣挿入口から挿入された紙幣を装置本体内へ案内する紙幣搬送路と、搬送された紙幣の正偽を判別する紙幣識別手段とを備えており、この紙幣処理装置で真券とみなされた紙幣は、紙幣処理装置と一体に組付けられたスタッカ内に押し込んで順次積載収容する紙幣収容手段や島端に設けられた金庫に収納される。【０００４】  そして、この紙幣処理装置の紙幣挿入口から挿入された紙幣を装置本体内へ案内する紙幣搬送路の経路中には、取込んだ紙幣を不正に引き抜かれないように紙幣搬送路を開閉するシャッタ機構が設けられている。このシャッタ機構は、紙幣挿入口近傍に設けられるタイプと、搬送された紙幣の正偽を判別する紙幣識別装置を通過した後に設けられるタイプとがある。特に前者のように紙幣挿入口近傍に設けられるタイプは、紙幣挿入時に紙幣がシャッタ機構に引っ掛かり挿入し難いばかりか後者と比較して外部から不正な操作が成される恐れが高かった。このため紙幣挿入時に紙幣がシャッタ機構に引っ掛かかるという問題を解消するために、実公昭６０−２５６４３に開示されているように、シャッタ部材９（図中符号）を構成している突片１１（図中符号）の配置を工夫した技術や、その技術に加え不正行為を防止するために、特開平７−１２９８１６に開示されているようにシャッタ５４（図中符号）を構成する複数枚のプレート５３（図中符号）がそれぞれ出没できるよう、各複数のプレート５３（図中符号）の断面形状に対応する形状をした複数の孔５５ａ（図中符号）、５６ａ（図中符号）を形成した技術が開発されている。【０００５】  しかしながら、上述した技術は、いずれもシャッタ機構を電気的、機械的に作動（開閉）する構成のため、構造が複雑で小型化、コスト低減が困難であった。このため、出願書類の図５中に示したように、複数の突起を形成したシャッタプレートを多数配列したシャッタ基板をスプリングで付勢するシャッタ機構が開発されている。【０００６】  図５に示した従来技術は、紙幣搬送路の底壁ａには、シャッタプレートｂの嵌合孔ｃが形成されている。また、底壁ａの裏面側に配設された支持プレートｄには、前述のシャッタプレートｂが複数個一体に形成されている。一方、開閉蓋ｅには、シャッタプレートｂを嵌合する孔部ｆが形成されている。そして、前述の支持プレートｄは、裏面からＵスプリングｇで開閉蓋ｅ方向に付勢されている。【０００７】
【特許文献１】  実公昭６０−２５６４３号公報
【特許文献２】  特開平７−１２９８１６号公報
【発明の開示】
【発明が解決しようとする課題】
【０００８】  しかしながら、前述の従来技術にあっては、複数のシャッタプレートｂを所望された傾斜に配列して支持プレートａと一体に成型するとともに、開閉蓋ｅの下壁に形成された該シャッタプレートの突起を嵌合する複数の孔部に該シャッタプレートの突起を嵌合させる構成のため、シャッタプレートｂの一部、特に端部のシャッタプレートｂを押圧すると全てのシャッタプレートｂが引込み、紙幣搬送路が開放状態になり、紙幣の引抜きが容易となって不正行為を増長させる恐れが有った。【０００９】  本発明は、上述した従来技術における問題点を解決するためになされたもので、挿入紙幣を装置本体内へ案内する紙幣搬送路と、当該紙幣搬送路を開閉するシャッタ機構とを備えた紙幣処理装置において、前記シャッタ機構は、複数の突起を形成したシャッタプレートと、前記シャッタプレートに設けられた弾性部材と、当該シャッタプレートの突起に対応する複数の孔部によりなり、前記シャッタプレートを前記紙幣搬送路の幅方向に沿って複数個独立して各々傾斜状に配設することによって各シャッタプレートが独立して開閉するために紙幣搬送路が全長に亘って開放状態となるようなことがなく不正行為を増長させる恐れがない紙幣処理装置を提供することを目的とする。
【課題を解決するための手段】
【００１０】  上述した従来技術の問題点を解決するために、本発明は、挿入紙幣を装置本体内へ案内する紙幣搬送路と、当該紙幣搬送路を開閉するシャッタ機構とを備えた紙幣処理装置において、前記シャッタ機構は、複数の突起を形成したシャッタプレートと、前記シャッタプレートに設けられた弾性部材と、当該シャッタプレートの突起に対応する複数の孔部によりなり、前記シャッタプレートを前記紙幣搬送路の幅方向に沿って複数個独立して各々傾斜状に配設したものである。【００１１】  上記のように構成することにより、外部からシャッタプレートを押下げ、一旦挿入した紙幣を引き抜こうとする場合、押下げられたシャッタプレート以外のシャッタプレートは、元の状態に維持されているため、紙幣の引抜き困難となり、外部からの不正行為を効果的に予防することができる。【００１２】  次の発明は、弾性部材をシャッタプレートの下面に突出して、前記突起内部に配設したものである。【００１３】  上記のように構成することにより、シャッタプレートを容易に製作することができ、しかも紙幣と接触する部分を直接付勢しているので紙幣の変形（皺、折跡等）に適切に追従することができ、紙幣の搬送がスムースに行なわれる。【００１４】  次の発明は、弾性部材を前記シャッタプレートの下面に一体に形成したものである。【００１５】  上記のように構成することにより、シャッタプレートの部品点数が少なく製作コストが安価であるばかりか取り扱いも容易である。【００１６】  次の発明は、前記シャッタプレートを支持する支持プレートにシャッタプレートの嵌合凹部を形成したものである。【００１７】  上記のように構成することにより、シャッタプレートを孔部と嵌合凹部とにより上下を嵌合状態に支持するためシャッタプレートが移動することが無く、安定した上下動を得ることができる。
【発明の効果】
【００１８】  挿入紙幣を装置本体内へ案内する紙幣搬送路と、当該紙幣搬送路を開閉するシャッタ機構とを備えた紙幣処理装置において、前記シャッタ機構は、複数の突起を形成したシャッタプレートと、前記シャッタプレートに設けられた弾性部材と、当該シャッタプレートの突起に対応する複数の孔部によりなり、前記シャッタプレートを前記紙幣搬送路の幅方向に沿って複数個独立して各々傾斜状に配設することによって各シャッタプレートが独立して開閉するために紙幣搬送路が全長に亘って開放状態となるようなことがなく不正行為を増長させる恐れがない紙幣処理装置を得ることができる。
【発明を実施するための最良の形態】
【００１９】  図１は、本発明の紙幣処理装置を示した上面図、図２は、図１の要部分解斜視図、図３は、シャッタプレートの第１実施例を示した斜視図、図４は、同第２実施例を示した斜視図、図５は、従来の紙幣処理装置の要部分解斜視図である。【００２０】  本発明の紙幣処理装置、例えば図１に示すような紙幣識別装置１００は、紙幣搬送装置３０を配設した筐体本体１０と開閉蓋２０とを備えている。【００２１】  筐体本体１０は、長矩形の箱状をなし、上部中央長手方向に溝形状を成す紙幣搬送路４０が形成されている。この紙幣搬送路４０の上流側（図１において右側）に紙幣挿入口４１が形成され、下流側（同左側）には開閉蓋２０が開閉可能に枢支されている。【００２２】  そして、前記紙幣搬送路４０の底壁４２には、長手方向中心線を挟んで対称の位置に紙幣搬送装置３０の突出孔４３が形成されている。そして、底壁４２と開閉蓋２０には、該突出孔４３の両外側に相当する位置に上流から識別装置を構成する反射型赤外線センサ６１、磁気センサ６２と、反射型赤外線センサ６１の間に配設された透過型赤外線センサ６３を備えている。【００２３】  前述の突出孔４３には、紙幣搬送装置３０を構成している駆動ギア３１と従動ギア３２並びに中間ギア３３とガイドローラ３４と駆動ギア３１と従動ギア３２間の巻架された搬送ベルト３５が底壁４２から僅かに突出して配設されている。そして、紙幣挿入口４１から挿入された紙幣は、前記搬送ベルト３５の回転によって下流に搬送される。【００２４】  本件発明の要部である、シャッタ機構５０は、図１並びに図２に示すように、筐体本体１０に形成されている紙幣搬送路４０の底壁４２に形成された嵌合孔５１と、開閉蓋２０の前記嵌合孔５１に対応する位置に形成された孔部５２と、前述の嵌合孔５１内を上下するシャッタプレート５３と、底壁４２の裏面の配設されたシャッタプレート５３の支持プレート５４とで構成されている。【００２５】  前述の嵌合孔５１は、突出孔４３の上流近傍に紙幣搬送路４０の幅方向に沿って複数穿設されていて、これらの嵌合孔５１は、紙幣搬送路４０の長手方向中心線Ｌ−Ｌに対して左右対称な位置で各々下流方向に拡開するような傾斜に配置されている。即ち、隣設する嵌合孔５１のうち長手方向中心線Ｌ−Ｌ側に位置する嵌合孔５１の下流側先端と隣設した嵌合孔５１の上流側後端とを結ぶ線が一致するように配置されている。このことは、嵌合孔５１に嵌合するシャッタプレート５３間に隙間が生じないように設定されていることになる。【００２６】  開閉蓋２０に形成された孔部５２は、嵌合孔５１と同様に傾斜して形成されていて、先端と後端に小孔５２ａ、５２ｂを形成している。この小孔５２ａ、５２ｂには、後述するシャッタプレート５３の凸起５３ａ、５３ｂが嵌合する。【００２７】  シャッタプレート５３は、図３に示すように、全体として凹形状を成している。そして両端の凸起５３ａ、５３ｂには、内部に下側を開放した円筒状のスプリング５３ｃの収納部５３ｄが設けられていて、その収納部５３ｄにスプリング５３ｃがシャッタプレート５３の下面５３ｇから突出するように配設されている。更に、両端の凸起５３ａ、５３ｂを結ぶブリッジ５３ｅにはストッパー５３ｆが突設されている。【００２８】  支持プレート５４は、平板状を成し、表面にシャッタプレート５３の嵌合凹部５４ａが形成されている。【００２９】  このシャッタ機構５０は、次のようにして組み付けられる。まず、紙幣搬送路４０の底壁４２と支持プレート５４の間にシャッタプレート５３を縮設させる。このとき、シャッタプレート５３は、ブリッジ５３ｅに形成したストッパー５３ｆが底壁４２の裏面に圧接され、嵌合孔５１から凸起５３ａ、５３ｂのみが紙幣搬送路４０から突出する。そして、開閉蓋２０を閉じると開閉蓋２０に形成した孔部５２が凸起５３ａ、５３ｂに嵌合して紙幣搬送路４０を閉じる。従って、紙幣挿入口４１から挿入された紙幣は、各々のシャッタプレート５３を押し下げて紙幣搬送路４０に取り込まれ搬送され、紙幣の末端がシャッタプレート５３を通過するとシャッタプレート５３が元の状態に復帰し、紙幣搬送路４０を完全に閉じる。【００３０】  図４は、シャッタプレート５３の他の実施例を示したもので、スプリング５３ｃに替えて、下面５３ｇに弾性帯５３ｈを一体に形成している。このため、シャッタプレート５０の部品点数が削減でき、しかも取り扱いが容易となってコスト低減が図れる。
【図面の簡単な説明】
【００３１】
【図１】  本発明の紙幣処理装置を示した上面図である。
【図２】  図１の要部分解斜視図である。
【図３】  シャッタプレートの第１実施例を示した斜視図である。
【図４】  同第２実施例を示した斜視図である。
【図５】  従来の紙幣処理装置の要部分解斜視図である。
【符号の説明】
【００３２】  １００  紙幣処理装置
１０  筐体本体
２０  開閉蓋
３０  紙幣搬送装置
３１  駆動ギア
３２  従動ギア
３３  中間ギア
３４  ガイドローラ
３５  搬送ベルト
４０  紙幣搬送路
４１  紙幣挿入口
４２  底壁
４３  突出孔
５０  シャッタ機構
５１  嵌合孔
５２  孔部
５２ａ、５２ｂ  小孔
５３  シャッタプレート
５３ａ、５３ｂ  凸起
５３ｃ  スプリング
５３ｄ  収納部
５３ｅ  ブリッジ
５３ｆ  ストッパー
５３ｇ  下面
５３ｈ  弾性帯
５４  支持プレート
５４ａ  嵌合凹部
６１  反射型赤外線センサ
６２  磁気センサ
６３  透過型赤外線センサ
【図１】
2007035005.tif 000003
【図２】
2007035005.tif 000004
【図３】
2007035005.tif 000005
【図４】
2007035005.tif 000006
【図５】
2007035005.tif 000007